(57)【要約】【課題】  布帛への記録における耐水性及び低温保存時の保存安定性に優れる新たな画像記録用処理剤を提供する。【解決手段】  本発明の画像記録用処理剤は、カチオン性ポリマーエマルションと、水溶性有機溶剤と、を含み、前記水溶性有機溶剤は、沸点が２００℃以下のグリコール系水溶性有機溶剤を含み、下記条件（１）を満たす、ことを特徴とする。 条件（１）：２０≦Ａ≦６０Ａ：前記画像記録用処理剤全量に対する前記沸点が２００℃以下のグリコール系水溶性有機溶剤の含有量（質量％） 【選択図】  なし【特許請求の範囲】
【請求項１】
カチオン性ポリマーエマルションと、
水溶性有機溶剤と、
を含み、
前記水溶性有機溶剤は、沸点が２００℃以下のグリコール系水溶性有機溶剤を含み、
下記条件（１）を満たす、
ことを特徴とする画像記録用処理剤。
条件（１）：２０≦Ａ≦６０
Ａ：前記画像記録用処理剤全量における前記沸点が２００℃以下のグリコール系水溶性有機溶剤の含有量（質量％）
【請求項２】
さらに、下記条件（２）を満たす、請求項１記載の画像記録用処理剤。
条件（２）：２．５≦Ｂ≦２０
Ｂ：前記画像記録用処理剤全量における前記カチオン性ポリマーエマルションの含有量（質量％）
【請求項３】
さらに、水を含み、
下記条件（３）を満たす、請求項１又は２記載の画像記録用処理剤。
条件（３）：Ａ／Ｃ≧０．３３
Ａ：前記画像記録用処理剤全量における前記沸点が２００℃以下のグリコール系水溶性有機溶剤の含有量（質量％）
Ｃ：前記画像記録用処理剤全量における水の含有量（質量％）
【請求項４】
さらに、下記条件（４）を満たす、請求項３記載の画像記録用処理剤。
条件（４）：Ａ／Ｃ≧０．５８
Ａ：前記画像記録用処理剤全量における前記沸点が２００℃以下のグリコール系水溶性有機溶剤の含有量（質量％）
Ｃ：前記画像記録用処理剤全量における水の含有量（質量％）
【請求項５】
さらに、下記条件（５）を満たす、請求項１〜４のいずれか一項に記載の画像記録用処理剤。
条件（５）：Ｂ／Ａ≧０．０８
Ａ：前記画像記録用処理剤全量における前記沸点が２００℃以下のグルコール系水溶性有機溶剤の含有量（質量％）
Ｂ：前記画像記録用処理剤全量における前記カチオン性ポリマーエマルションの含有量（質量％）
【請求項６】
前記カチオン性ポリマーエマルションが、ウレタン構造を含む、請求項１〜５のいずれか一項に記載の画像記録用処理剤。
【請求項７】
前記ウレタン構造を含むカチオン性ポリマーエマルションが、前記ウレタン構造以外の部分に、アクリル構造及びスチレン構造の少なくとも一方を含む、請求項６記載の画像記録用処理剤。
【請求項８】
前記ウレタン構造が、エステル系のウレタン構造である、請求項６又は７記載の画像記録用処理剤。
【請求項９】
前記沸点が２００℃以下のグリコール系水溶性有機溶剤が、プロピレングリコールである、請求項１〜８のいずれか一項に記載の画像記録用処理剤。
【請求項１０】
さらに、ノニオン性界面活性剤及びカチオン性界面活性剤の少なくとも一方を含み、
前記処理剤全量におけるノニオン界面活性剤及びカチオン界面活性剤の少なくとも一方の含有量が、０．２質量％〜５質量％である、請求項１〜９のいずれか一項に記載の画像記録用処理剤。
【請求項１１】
布帛への記録に用いられる、請求項１〜１０のいずれか一項に記載の画像記録用処理剤。
【請求項１２】
布帛への記録に用いられるインクと画像記録用処理剤のセットであって、
インクジェット記録用水性インクと、画像記録用処理剤と、を含み、
前記水性インクは、着色剤と、水と、を含み、
前記画像記録用処理剤は、請求項１１記載の画像記録用処理剤である、
ことを特徴とするインクと画像記録用処理剤のセット。
【請求項１３】
請求項１２記載のインクと画像記録用処理剤のセットを用いて、布帛に記録する記録方法であって、
前記布帛に前記画像記録用処理剤を付与する処理剤付与工程と、
前記付与した画像記録用処理剤を乾燥させる乾燥工程と、
前記布帛に前記水性インクをインクジェット方式により吐出して記録する記録工程と、
を含むことを特徴とする記録方法。
【請求項１４】
前記乾燥工程において、乾燥温度が１３０℃〜２２０℃である、請求項１３記載の記録方法。
【請求項１５】
前記処理剤付与工程において、前記布帛の面積あたりの前記画像記録用処理剤の付与量が、４．７ｍｇ／ｃｍ２〜５０ｍｇ／ｃｍ２である、請求項１３又は１４記載の記録方法。
【請求項１６】
前記乾燥工程において、前記付与した画像記録用処理剤の質量を、付与前における前記画像記録用処理剤の付与量の５０％以下まで減少させる、請求項１３〜１５のいずれか一項に記載の記録方法。
【請求項１７】
前記乾燥工程において、前記付与した画像記録用処理剤の質量を、付与時における前記画像記録用処理剤の付与量の３０％以下まで減少させる、請求項１６記載の記録方法。
【発明の詳細な説明】
【技術分野】
【０００１】
本発明は、画像記録用処理剤、インクと画像記録用処理剤のセット及び記録方法に関する。
【背景技術】
【０００２】
布帛にインクジェット方式により水性インクを吐出して記録する記録方法が知られている。前記記録方法は、例えば、前処理剤を前記布帛に付与する前処理工程と、前記前処理剤の付与部に水性インクを吐出した後、前記水性インクを前記布帛に熱定着させる熱定着工程と、を含む（特許文献１）。
【先行技術文献】
【特許文献】
【０００３】
【特許文献１】特表２０１７−５１７６４０号公報
【発明の概要】
【発明が解決しようとする課題】
【０００４】
インクジェット記録用水性インクを用いた布帛への記録においては、耐水性に優れることが求められる。また、前記耐水性改善のために画像記録用処理剤（以下、「処理剤」と言うことがある。）を用いる場合、前記画像記録用処理剤には、低温保存時の保存安定性に優れることが求められる。
【０００５】
そこで、本発明は、布帛への記録における耐水性及び低温保存時の保存安定性に優れる新たな画像記録用処理剤を提供することを目的とする。
【課題を解決するための手段】
【０００６】
前記目的を達成するために、本発明の画像記録用処理剤は、
カチオン性ポリマーエマルションと、
水溶性有機溶剤と、
を含み、
前記水溶性有機溶剤は、沸点が２００℃以下のグリコール系水溶性有機溶剤を含み、
下記条件（１）を満たす、
ことを特徴とする。
条件（１）：２０≦Ａ≦６０
Ａ：前記画像記録用処理剤全量における前記沸点が２００℃以下のグリコール系水溶性有機溶剤の含有量（質量％）
【発明の効果】
【０００７】
本発明の画像記録用処理剤は、カチオン性ポリマーエマルションと、所定量の沸点が２００℃以下のグリコール系水溶性有機溶剤と、を含むことで、布帛への記録における耐水性及び低温保存時の保存安定性に優れる。
【図面の簡単な説明】
【０００８】
【図１】図１は、本発明のインクジェット記録装置の一例の構成を示す概略斜視図である。
【図２】図２は、本発明のインクジェット記録装置の一例の構成を示す模式図である。
【図３】図３（ａ）及び（ｂ）は、本発明の記録方法における画像記録用処理剤の付与例を示す図である。
【発明を実施するための形態】
【０００９】
［画像記録用処理剤］
本発明の画像記録用処理剤について説明する。本発明の画像記録用処理剤は、カチオン性ポリマーエマルションと、水溶性有機溶剤と、を含む。本発明の画像記録用処理剤は、例えば、インクではなく、染料、顔料等の着色剤を含まないことが好ましい。本発明の画像記録用処理剤は、着色剤を含む場合、例えば、実質的に記録用インクとはならない量である。
【００１０】
前記カチオン性ポリマーエマルションとしては、例えば、ウレタン構造を含むカチオン性ポリマーエマルション、カチオン性スチレンアクリルエマルション等があげられる。前記カチオン性ポリマーエマルションがウレタン構造を含めば、布帛への記録において、手触り、肌触り等の触感により優れる。前記ウレタン構造は、エステル系のウレタン構造であってもよい。前記ウレタン構造がエステル系のウレタン構造であれば、布帛への記録において、手触り、肌触り等の触感にさらに優れる。
【００１１】
前記カチオン性ポリマーエマルションの最低造膜温度は、４０℃以下であることが好ましい。本発明において、「最低造膜温度」とは、例えば、ポリマーエマルションが加熱により造膜するのに必要な最低温度のことを言う。前記最低造膜温度は、例えば、ＪＩＳ  Ｋ  ６８２８−２：２００３の「最低造膜温度の求め方」に準拠して測定することができる。具体的には、例えば、温度勾配をつけたアルミニウム板にポリマーエマルションを薄く塗布し、乾燥皮膜を形成する地点の温度として、最低造膜温度測定装置を用いて測定することができる。前記最低造膜温度測定装置としては、例えば、ＲＨＯＰＯＩＮＴ  ＩＮＳＴＲＵＭＥＮＴＳ  ＬＴＤ製の「ＭＩＮＩＭＵＭ  ＦＩＬＭ  ＦＯＲＭＩＮＧ  ＴＥＭＰＥＲＡＴＵＲＥ  ＢＡＲ  ９０」等があげられる。
【００１２】
前記カチオン性ポリマーエマルションは、自家調製してもよいし、市販品を用いてもよい。前記市販品としては、例えば、ジャパンコーティングレジン（株）製の「モビニール（登録商標）６９１０」（エステル系のウレタン構造を含むカチオン性ポリマーエマルション）、「モビニール（登録商標）６９０１」（カチオン性スチレンアクリルエマルション）；第一工業製薬（株）製の「スーパーフレックス（登録商標）６２０」（エステル系のウレタン構造を含むカチオン性ポリマーエマルション）、「スーパーフレックス（登録商標）６５０」（ウレタン構造を含むカチオン性ポリマーエマルション）；等があげられる。
【００１３】
前記カチオン性ポリマーエマルションの平均粒子径は、例えば、１００ｎｍ〜３００ｎｍである。前記平均粒子径は、例えば、（株）堀場製作所製の動的光散乱式粒径分布測定装置「ＬＢ−５００」を用いて、算術平均径として測定可能である。
【００１４】
前記ウレタン構造を含むカチオン性ポリマーエマルションは、前記ウレタン構造以外の部分に、アクリル構造及びスチレン構造の少なくとも一方を含むことが好ましく、アクリル構造を含むこと（ウレタンアクリルエマルションであること）がより好ましい。前述の市販品のうち、「モビニール（登録商標）６９１０」、「スーパーフレックス（登録商標）６２０」及び「スーパーフレックス（登録商標）６５０」が、ウレタンアクリルエマルションに該当する。
【００１５】
前記ウレタン構造を含むカチオン性ポリマーエマルションにおいて、前記ウレタン構造部分の占める割合が、１０％以上であることが好ましく、２０％以上であることがより好ましい。なお、前記ウレタン構造部分の占める割合は、前記ウレタン構造を含むカチオン性ポリマーエマルションの固形分に占める前記ウレタン構造部分の割合である。
【００１６】
前記画像記録用処理剤全量における前記カチオン性ポリマーエマルションの含有量（Ｂ）は、例えば、１質量％〜４０質量％、２質量％〜２５質量％、２．５質量％〜２０質量％である。前記含有量（Ｂ）を２．５質量％以上とすれば、布帛への記録において、耐水性により優れる。また、前記含有量（Ｂ）を２０質量％以下とすれば、布帛への記録において、手触り、肌触り等の触感により優れる。なお、前記含有量（Ｂ）は、前記画像記録用処理剤全量における前記カチオン性ポリマーエマルションの固形分含有量である。
【００１７】
前記水溶性有機溶剤は、沸点が２００℃以下のグリコール系水溶性有機溶剤（以下、「特定グリコール系溶剤」と言うことがある。）を含む。前記特定グリコール系溶剤としては、例えば、エチレングリコール（沸点：１９６℃）、プロピレングリコール（沸点：１８８℃）、１，２−ブタンジオール（沸点：１９４℃）、２，３−ブタンジオール（沸点：１８３℃）等があげられる。
【００１８】
前記画像記録用処理剤全量における前記特定グリコール系溶剤の含有量（Ａ）は、２０質量％〜６０質量％である。本発明の画像記録用処理剤は、前記カチオン性ポリマーエマルションを含み、且つ、前記含有量（Ａ）が前記範囲であることで、布帛への記録における耐水性及び低温保存時の保存安定性に優れる。前記含有量（Ａ）は、例えば、３０質量％〜５０質量％であってもよい。
【００１９】
前記画像記録用処理剤は、前記特定グリコール系溶剤以外の水溶性有機溶剤を含んでもよいし、含まなくてもよい。前記画像記録用処理剤において、水溶性有機溶剤全量に占める前記特定グリコール系溶剤の質量割合は、例えば、８０％以上、９５％以上、１００％である。
【００２０】
前記画像記録用処理剤は、さらに、下記条件（５）を満たすことが好ましい。下記条件（５）を満たす処理剤は、布帛への記録において、耐水性により優れる。
条件（５）：Ｂ／Ａ≧０．０８
Ａ：前記画像記録用処理剤全量における前記特定グリコール系溶剤の含有量（質量％）
Ｂ：前記画像記録用処理剤全量における前記カチオン性ポリマーエマルションの含有量（質量％）
【００２１】
前記画像記録用処理剤は、さらに、水を含んでもよい。前記水は、イオン交換水又は純水であることが好ましい。前記画像記録用処理剤全量における前記水の含有量（Ｃ）は、例えば、１０質量％〜９０質量％、２０質量％〜８０質量％である。前記含有量（Ｃ）は、例えば、他の成分の残部としてもよい。
【００２２】
前記画像記録用処理剤は、さらに、下記条件（３）を満たすことが好ましく、下記条件（４）を満たすことがより好ましい。下記条件（３）を満たす画像記録用処理剤は、低温保存時の保存安定性により優れる。下記条件（４）を満たす画像記録用処理剤は、低温保存時の保存安定性にさらに優れる。
条件（３）：Ａ／Ｃ≧０．３３
条件（４）：Ａ／Ｃ≧０．５８
Ａ：前記画像記録用処理剤全量における前記特定グリコール系溶剤の含有量（質量％）
Ｃ：前記画像記録用処理剤全量における前記水の含有量（質量％）
【００２３】
前記画像記録用処理剤は、さらに、ノニオン性界面活性剤及びカチオン性界面活性剤の少なくとも一方を含んでもよい。
【００２４】
前記ノニオン性界面活性剤は、例えば、市販品を用いてもよい。前記ノニオン性界面活性剤の市販品としては、例えば、ライオン・スペシャリティ・ケミカルズ（株）製の「ＤＯＢＡＮＯＸ（登録商標）」シリーズ、「ＬＥＯＣＯＬ（登録商標）」シリーズ、「ＬＥＯＸ（登録商標）」シリーズ、「ＬＡＯＬ，ＬＥＯＣＯＮ（登録商標）」シリーズ、「ＬＩＯＮＯＬ（登録商標）」シリーズ、「ＣＡＤＥＮＡＸ（登録商標）」シリーズ、「ＬＩＯＮＯＮ（登録商標）」シリーズ、「ＬＥＯＦＡＴ（登録商標）」シリーズ等；花王（株）製の「ＥＭＵＬＧＥＮ（登録商標）」シリーズ、「ＲＨＥＯＤＯＬ（登録商標）」シリーズ、「ＥＭＡＳＯＬ（登録商標）」シリーズ、「ＥＸＣＥＬ（登録商標）」シリーズ、「ＡＭＩＮＯＮ（登録商標）」シリーズ等；日信化学工業（株）製の「オルフィン（登録商標）」シリーズ等；があげられる。
【００２５】
前記カチオン性界面活性剤としては、例えば、第４級アンモニウム塩、第４級アンモニウムイオン、第１級、第２級及び第３級アミン塩型化合物、アルキルアミン塩、ジアルキルアミン塩、脂肪族アミン塩、アルキルピリジニウム塩、イミダゾリニウム塩、スルホニウム塩、ホスホニウム塩、オニウム塩等があげられる。前記第４級アンモニウム塩及び前記第４級アンモニウムイオン以外の前記カチオン性界面活性剤の具体例としては、ラウリルアミン、ヤシアミン、ロジンアミン等の塩酸塩、酢酸塩等、セチルピリジニウムクロライド、セチルピリジニウムブロマイド、ジヒドロキシエチルラウリルアミン等があげられる。
【００２６】
前記第４級アンモニウム塩としては、例えば、式（１）で表されるカチオン性化合物等があげられる。
【化１】
2019178469.tif 000002
式（１）において、
Ｒ１〜Ｒ４は、それぞれ、炭素原子数１〜３０の炭化水素基であり、Ｒ１〜Ｒ４は互いに同一でも異なっていてもよく、
Ｘ−は、アニオンである。
【００２７】
式（１）において、Ｒ１〜Ｒ３は、それぞれ、炭素原子数１〜５のアルキル基であってもよい。前記炭素原子数１〜５のアルキル基は、直鎖でも分岐鎖でもよく、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ｓｅｃ−ペンチル基、３−ペンチル基、ｔｅｒｔ−ペンチル基等があげられる。前記炭素原子数１〜５のアルキル基は、ハロゲン原子等の置換基を有してもよい。式（１）において、Ｒ１〜Ｒ３は互いに同一でも異なっていてもよい。
【００２８】
式（１）において、Ｒ４は、炭素原子数６〜３０のアルキル基であってもよい。前記炭素原子数６〜３０のアルキル基としては、例えば、ヘキシル基、ヘプチル基、オクチル基、ノニル基、デシル基、ラウリル基（ドデシル基）、テトラデシル基、セチル基（ヘキサデシル基）等があげられる。前記炭素原子数６〜３０のアルキル基は、ハロゲン原子等の置換基を有してもよく、直鎖でも分岐鎖でもよい。
【００２９】
式（１）において、Ｘ−は、アニオンである。前記アニオンは、いかなるものであってもよいが、例えば、メチル硫酸イオン、エチル硫酸イオン、硫酸イオン、硝酸イオン、酢酸イオン、ジカルボン酸（例えば、リンゴ酸、イタコン酸等）イオン、トリカルボン酸（例えば、クエン酸等）イオン、水酸化物イオン、ハロゲン化物イオン等があげられる。Ｘ−がジカルボン酸イオン又はトリカルボン酸イオンである場合には、ジカルボン酸イオン又はトリカルボン酸イオンが、２つ又は３つの第４級アンモニウムイオン（式（１）からＸ−を除いたカチオン）のカウンターイオンとなる。
【００３０】
式（１）で表されるカチオン性化合物としては、例えば、ラウリルトリメチルアンモニウム硫酸塩、ラウリルトリメチルアンモニウムクロリド、セチルトリメチルアンモニウムクロリド、ベンジルジメチルアルキルアンモニウムクロリド等があげられる。式（１）で表されるカチオン性化合物は、自家調製してもよいし、市販品を用いてもよい。前記市販品としては、例えば、第一工業製薬（株）製の「カチオーゲン（登録商標）ＴＭＬ」、「カチオーゲン（登録商標）ＴＭＰ」、「カチオーゲン（登録商標）ＥＳ−Ｏ」；東京化成工業（株）製の「塩化ベンザルコニウム」；等があげられる。
【００３１】
前記第４級アンモニウムイオンとしては、例えば、式（１）からＸ−を除いたカチオン等があげられる。
【００３２】
前記画像記録用処理剤全量におけるノニオン性界面活性剤及びカチオン性界面活性剤の少なくとも一方の含有量（Ｓ）は、例えば、０．０５質量％〜２０質量％、０．１質量％〜１０質量％、０．２質量％〜５質量％である。なお、前記含有量（Ｓ）は、有効成分量である。
【００３３】
前記画像記録用処理剤は、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。
【００３４】
前記画像記録用処理剤は、例えば、前記カチオン性ポリマーエマルションと、前記特定グリコール系溶剤と、必要に応じて他の添加成分とを、従来公知の方法で均一に混合することにより調製できる。
【００３５】
前記画像記録用処理剤のｐＨは、例えば、４〜８である。
【００３６】
前記画像記録用処理剤の粘度は、例えば、１００ｍＰａ・ｓ以下、２０ｍＰａ・ｓ以下、１０ｍＰａ・ｓ以下である。前記粘度は、２５℃で測定した値である。
【００３７】
本発明の画像記録用処理剤は、布帛への記録に好適に用い得るが、例えば、記録用紙等、布帛以外の記録媒体への記録にも用い得る。前記布帛は、編物及び織物の双方を含む。前記布帛の材質は、天然繊維であっても、合成繊維であってもよい。前記天然繊維としては、例えば、綿、絹等があげられる。前記合成繊維としては、例えば、ウレタン、アクリル、ポリエステル、ナイロン等があげられる。
【００３８】
［インクと画像記録用処理剤のセット］
つぎに、本発明のインクと画像記録用処理剤のセットについて説明する。本発明のインクと画像記録用処理剤のセットは、布帛への記録に用いられるインクと画像記録用処理剤のセットであって、インクジェット記録用水性インク（以下、「水性インク」又は「インク」と言うことがある。）と、本発明の画像記録用処理剤と、を含む。本発明のインクと画像記録用処理剤のセットにおいて、前記水性インクは、１種のみであってもよいし、２種以上であってもよい。
【００３９】
（水性インク）
前記水性インクについて説明する。前記水性インクは、着色剤と、水と、を含む。
【００４０】
前記着色剤は、染料及び顔料のいずれであってもよく、染料及び顔料を混合して用いてもよいが、染料であることが好ましい。
【００４１】
前記染料は、特に限定されず、例えば、直接染料、酸性染料、塩基性染料、反応性染料、食用染料等があげられる。前記染料の具体例としては、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット、Ｃ．Ｉ．リィアクティブブルー、Ｃ．Ｉ．リィアクティブレッド、Ｃ．Ｉ．リィアクティブイエロー、Ｃ．Ｉ．フードブラック、Ｃ．Ｉ．フードレッド、Ｃ．Ｉ．フードイエロー等があげられる。前記Ｃ．Ｉ．ダイレクトブラックとしては、例えば、Ｃ．Ｉ．ダイレクトブラック１７、１９、２２、３１、３２、５１、６２、７１、７４、１０８、１１２、１１３、１４６、１５４、１６８及び１９５等があげられる。前記Ｃ．Ｉ．ダイレクトブルーとしては、例えば、Ｃ．Ｉ．ダイレクトブルー１、６、１５、２２、２５、４１、７１、７６、７７、８０、８６、９０、９８、１０６、１０８、１２０、１５８、１６３、１６８、１９９及び２２６等があげられる。前記Ｃ．Ｉ．ダイレクトレッドとしては、例えば、Ｃ．Ｉ．ダイレクトレッド１、２、４、９、１１、１７、２０、２３、２４、２８、３１、３９、４６、６２、７５、７９、８０、８３、８９、９５、１９７、２０１、２１８、２２０、２２４、２２５、２２６、２２７、２２８、２２９及び２３０等があげられる。前記Ｃ．Ｉ．ダイレクトイエローとしては、例えば、Ｃ．Ｉ．ダイレクトイエロー８、１１、１２、２４、２６、２７、２８、３３、３９、４４、５０、５８、８５、８６、８７、８８、８９、９８、１００、１１０、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、４８、５１、５２、６３、１１０、１１２、１１５、１１８及び１５６等があげられる。前記Ｃ．Ｉ．アシッドブルーとしては、例えば、Ｃ．Ｉ．アシッドブルー１、７、９、１５、２２、２３、２５、２９、４０、４３、５９、６２、７４、７８、８０、９０、９３、１００、１０２、１０４、１１７、１２０、１２７、１３８、１５８、１６１、１６７、２２０及び２３４等があげられる。前記Ｃ．Ｉ．アシッドレッドとしては、例えば、Ｃ．Ｉ．アシッドレッド１、６、８、９、１３、１４、１８、２６、２７、３２、３５、３７、４２、５１、５２、８０、８３、８５、８７、８９、９２、９４、１０６、１１４、１１５、１３３、１３４、１４５、１５８、１８０、１９８、２４９、２５６、２６５、２８９、３１５及び３１７等があげられる。前記Ｃ．Ｉ．アシッドイエローとしては、例えば、Ｃ．Ｉ．アシッドイエロー１、３、７、１１、１７、２３、２５、２９、３６、３８、４０、４２、４４、６１、７１、７６、９８及び９９等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、例えば、Ｃ．Ｉ．ベーシックバイオレット７、１４及び２７等があげられる。前記Ｃ．Ｉ．リィアクティブブルーとしては、例えば、Ｃ．Ｉ．リィアクティブブルー４、５、７、１３、１４、１５、１８、１９、２１、２６、２７、２９、３２、３８、４０、４４及び１００等があげられる。前記Ｃ．Ｉ．リィアクティブレッドとしては、例えば、Ｃ．Ｉ．リィアクティブレッド７、１２、１３、１５、１７、２０、２３、２４、３１、４２、４５、４６及び５９等があげられる。前記Ｃ．Ｉ．リィアクティブイエローとしては、例えば、Ｃ．Ｉ．リィアクティブイエロー２、３、１７、２５、３７及び４２等があげられる。前記Ｃ．Ｉ．フードブラックとしては、例えば、Ｃ．Ｉ．フードブラック１及び２等があげられる。前記Ｃ．Ｉ．フードレッドとしては、例えば、Ｃ．Ｉ．フードレッド８７、９２及び９４等があげられる。前記Ｃ．Ｉ．フードイエローとしては、例えば、Ｃ．Ｉ．フードイエロー３等があげられる。
【００４２】
前記染料は、１種類を単独で用いてもよいし、２種類以上を併用してもよい。前記水性インク全量における前記染料の含有量は、例えば、０．１質量％〜２０質量％、１質量％〜１５質量％、２質量％〜１０質量％である。
【００４３】
前記顔料としては、例えば、樹脂分散型顔料、自己分散型顔料等があげられる。
【００４４】
前記樹脂分散型顔料は、例えば、顔料分散用樹脂（樹脂分散剤）によって、水に分散可能なものである。前記樹脂分散型顔料として用い得る顔料としては、特に限定されず、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料及びカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７３、７４、７５、７８、８３、９３、９４、９５、９７、９８、１１４、１２８、１２９、１３８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１５０、１６６、１６８、１７５、１７６、１７７、１７８、１８４、１８５、１９０、２０２、２２１、２２２、２２４及び２３８；Ｃ．Ｉ．ピグメントバイオレット１９及び１９６；Ｃ．Ｉ．ピグメントブルー１、２、３、１５、１５：１、１５：２、１５：３、１５：４、１６、２２及び６０；Ｃ．Ｉ．ピグメントグリーン７及び３６；及びこれらの顔料の固溶体等があげられる。
【００４５】
前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報、特表２０１１−５１５５３５号公報等に記載の方法によって顔料が処理されたものを用いることができる。前記処理を行うのに適した顔料としては、例えば、三菱化学（株）製の「ＭＡ８」、「ＭＡ１００」、「＃２６５０」；デグサ社製の「カーボンブラックＦＷ２００」；等のカーボンブラックがあげられる。前記自己分散型顔料は、例えば、市販品を用いてもよい。前記市販品としては、例えば、キャボット・コーポレーション社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」、「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」、「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００４６】
前記顔料は、１種類を単独で用いてもよいし、２種類以上を併用してもよい。前記水性インク全量における前記顔料の固形分含有量は、例えば、０．１質量％〜２０質量％、１質量％〜１５質量％、２質量％〜１０質量％である。
【００４７】
前記水は、イオン交換水又は純水であることが好ましい。前記水性インク全量における前記水の含有量は、例えば、他の成分の残部としてもよい。
【００４８】
前記水性インクは、さらに、水溶性有機溶剤を含んでもよい。前記水溶性有機溶剤としては、例えば、インクジェットヘッドのノズル先端部における水性インクの乾燥を防止する湿潤剤及び記録媒体上での乾燥速度を調整する浸透剤があげられる。
【００４９】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン；等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００５０】
前記水性インク全量における前記湿潤剤の含有量は、例えば、０質量％〜９５質量％、５質量％〜８０質量％、５質量％〜５０質量％である。
【００５１】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００５２】
前記水性インク全量における前記浸透剤の含有量は、例えば、０質量％〜２０質量％、０質量％〜１５質量％、１質量％〜４質量％である。
【００５３】
前記水性インクは、必要に応じて、さらに、界面活性剤及び前述の画像記録用処理剤において例示したのと同様の添加剤を含んでもよい。
【００５４】
前記水性インクは、例えば、前記着色剤と、前記水と、必要に応じて他の添加成分とを、従来公知の方法で均一に混合し、フィルタ等で不溶解物を除去することにより調製できる。
【００５５】
本発明のインクと画像記録用処理剤のセットにおける前記画像記録用処理剤は、前述の本発明の画像記録用処理剤と同様であり、その説明を援用できる。
【００５６】
本発明のインクと画像記録用処理剤のセットは、布帛への記録に好適に用い得るが、例えば、記録用紙等、布帛以外の記録媒体への記録にも用い得る。
【００５７】
［記録方法及びインクジェット記録装置］
つぎに、本発明の記録方法について説明する。
【００５８】
本発明の記録方法は、
本発明のインクと画像記録用処理剤のセットを用いて、布帛に記録する記録方法であって、
前記布帛に前記画像記録用処理剤を付与する処理剤付与工程と、
前記付与した画像記録用処理剤を乾燥させる乾燥工程と、
前記布帛に前記水性インクをインクジェット方式により吐出して記録する記録工程と、
を含むことを特徴とする。前記記録は、印字、印画、印刷等を含む。
【００５９】
本発明の記録方法における前記インクと画像記録用処理剤のセットは、前述の本発明のインクと画像記録用処理剤のセットと同様であり、その説明を援用できる。
【００６０】
本発明の記録方法は、例えば、つぎに説明する本発明のインクジェット記録装置を用いて実施可能である。
【００６１】
本発明のインクジェット記録装置は、インクセット収容部と、処理剤付与手段と、インク吐出手段と、を含むインクジェット記録装置であって、前記インクセット収容部に、本発明のインクと画像記録用処理剤のセットが収容され、前記インクと画像記録用処理剤のセットを構成する前記画像記録用処理剤が、前記処理剤付与手段によって記録媒体に付与され、前記インクと画像記録用処理剤のセットを構成する前記水性インクが、前記インク吐出手段によって前記記録媒体に吐出されることを特徴とする。
【００６２】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８と、を主要な構成要素として含む。
【００６３】
４つのインクカートリッジ２は、イエロー、マゼンタ、シアン及びブラックの４色の水性インクを、それぞれ１色ずつ含む。例えば、前記４色の水性インクのうちの少なくとも一つが、本発明のインクと画像記録用処理剤のセットを構成する水性インクである。本例では、４つのインクカートリッジ２のセットを示したが、これに代えて、水性イエローインク収納部、水性マゼンタインク収納部、水性シアンインク収納部及び水性ブラックインク収納部を形成するようにその内部が間仕切りされた一体型のインクカートリッジを用いてもよい。前記インクカートリッジの本体としては、例えば、従来公知のものを使用できる。
【００６４】
ヘッドユニット４に設置されたインクジェットヘッド３は、布帛Ｆに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００６５】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００６６】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００６７】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。また、これらの態様においては、４つのインクカートリッジ２に代えて、ボトル形状の４つのインクボトルを用いてもよい。この場合、前記インクボトルには、外部から内部にインクを注入するための注入口が設けられていることが好ましい。
【００６８】
このインクジェット記録装置１を用いた記録は、例えば、つぎのようにして実施される。
【００６９】
まず、前記布帛に前記画像記録用処理剤と付与する。前記画像記録用処理剤の付与は、例えば、スプレー方式、スタンプ塗布、刷毛塗り、ローラ塗布、ディッピング、インクジェット方式等により実施できる。前記画像記録用処理剤の付与は、前記布帛の記録面の全面でもよく、一部でもよい。一部に付与する場合、前記布帛の記録面の少なくとも水性インクによる記録部分が付与部となる。一部に付与する場合、付与部の大きさは、記録部分よりも大きい方がよい。例えば、図３（ａ）に示すように、布帛Ｆに対し、文字（Ｘ）を記録する場合は、前記文字の線幅よりも大きな線幅で付与部３０を形成するように前記画像記録用処理剤を付与することが好ましい。また、図３（ｂ）に示すように、布帛Ｆに対し、図柄を記録する場合は、前記図柄よりも大きな付与部４０を形成するように前記画像記録用処理剤を付与することが好ましい。
【００７０】
前記処理剤付与工程において、前記布帛の面積あたりの前記画像記録用処理剤の付与量は、例えば、４．７ｍｇ／ｃｍ２（３０ｍｇ／ｉｎｃｈ２）〜５０ｍｇ／ｃｍ２（３２０ｍｇ／ｉｎｃｈ２）である。
【００７１】
つぎに、前記付与した画像記録用処理剤を乾燥させる。前記乾燥工程の実施時期としては、例えば、前記記録工程前と、前記記録工程後と、があげられ、前者が好ましい。前記乾燥は、例えば、風乾（自然乾燥）であってもよいし、市販のアイロン、ホットプレス機、ドライヤー、オーブン、ベルトコンベアオーブン、ＩＲヒーター等の乾燥手段を用いた乾燥であってもよい。前記乾燥時の温度は、例えば、１３０℃〜２２０℃であり、前記布帛が綿の場合は、１８０℃〜２１０℃が好ましく、前記布帛がポリエステルの場合は、１４０℃〜１６０℃が好ましい。前記乾燥温度は、例えば、乾燥雰囲気の温度でもよいし、前記乾燥手段の設定温度でもよい。前記乾燥の時間は、例えば、３０秒〜１２０秒である。
【００７２】
図２に示すように、前記乾燥工程は、例えば、図１に示す本発明のインクジェット記録装置１が備えた、乾燥手段２３を用いて実施してもよい。図２において、図１と同一部分には、同一符号を付している。なお、図２において、符号２１及び符号２４は、それぞれ、図１では図示を省略した供給トレイ及び排出トレイを示し、符号３Ａは、インクジェットヘッド３の下面に形成された複数のノズルを示す。また、前記乾燥工程は、例えば、インクジェット記録装置外部で実施してもよい。
【００７３】
前記乾燥工程においては、例えば、前記付与した画像記録用処理剤の質量を、付与時における前記画像記録用処理剤の付与量の５０％以下まで減少させてもよく、３０％以下まで減少させてもよい。前記乾燥工程は、例えば、前記画像記録用処理剤中の溶剤（例えば、前記水、前記特定グリコール系溶剤等）を揮発させる溶剤揮発工程、前記画像記録用処理剤の質量を減少させる質量減少工程と言うこともできる。
【００７４】
つぎに、インクジェットヘッド３から、前記布帛に、前記水性インクを吐出して記録する。
【００７５】
本例では、前記画像記録用処理剤を、前記水性インクの吐出に先立ち前記布帛に付与する前処理剤として使用している。ただし、本発明は、これに限定されない。本発明では、前記布帛に前記水性インクを先に吐出した後、前記画像記録用処理剤を付与してもよいし、前記布帛への前記画像記録用処理剤の付与と前記水性インクの吐出とを同時に行ってもよい。
【００７６】
一般的な布帛への記録方法においては、前記記録工程後に、前記水性インクを前記布帛に熱定着させる熱定着工程を実施するが、本発明の記録方法において、前記熱定着工程を実施するか否かは任意であり、実施してもよいし、実施しなくてもよい。
【００７７】
このようにして記録された布帛Ｆは、インクジェット記録装置１から排出される。本発明によれば、布帛への記録において耐水性に優れる。なお、図１においては、布帛Ｆの供給機構及び排出機構の図示を省略している。
【００７８】
図１に示す装置では、シリアル型インクジェットヘッドを採用するが、本発明は、これに限定されない。前記インクジェット記録装置は、ライン型インクジェットヘッドを採用する装置であってもよい。
【００７９】
本発明の記録方法は、例えば、さらに、前記布帛を水で洗浄する洗浄工程を含み、前記洗浄工程を、前記記録工程の後に実施してもよい。
【００８０】
［布帛の製造方法］
つぎに、本発明の布帛の製造方法について説明する。本発明の布帛の製造方法は、画像を有する布帛の製造方法であって、本発明の記録方法により前記布帛に記録することを特徴とする。
【００８１】
本発明の布帛の記録方法によれば、耐水性に優れた布帛を得ることができる。
【００８２】
［布帛］
つぎに、本発明の布帛について説明する。本発明の布帛は、画像を有する布帛であって、カチオン性ポリマーエマルションと、前記特定グリコール系溶剤と、を含むことを特徴とする。
【００８３】
本発明の布帛は、前記画像の耐水性に優れる。
【実施例】
【００８４】
つぎに、本発明の実施例について比較例と併せて説明する。なお、本発明は、下記の実施例及び比較例により限定及び制限されない。
【００８５】
［実施例１〜１５及び比較例１〜５］
処理剤組成（表２）の各成分を、均一に混合して、実施例１〜１５及び比較例１〜５の処理剤を得た。
【００８６】
実施例１〜１５及び比較例１〜５の画像記録用処理剤について、（ａ）耐水性評価、（ｂ）低温保存時の保存安定性評価及び（ｃ）触感評価を、下記方法により実施した。なお、各評価に用いた水性インクは、つぎのようにして調製した。
【００８７】
〔水性インクの調製〕
（水性染料インクＡの調製）
インク組成（表１）の各成分を、均一に混合した。その後、得られた混合物を、東洋濾紙（株）製のポリテトラフルオロエチレン（ＰＴＦＥ）タイプメンブレンフィルタ（孔径：０．２０μｍ）を用いてろ過することで、インクジェット記録用水性染料インクＡを得た。
【００８８】
（水性顔料インクＢの調製）
インク組成（表１）における、ＣＡＢ−Ｏ−ＪＥＴ（登録商標）３００を除く成分を、均一に混合しインク溶媒を得た。つぎに、ＣＡＢ−Ｏ−ＪＥＴ（登録商標）３００に、前記インク溶媒を加え、均一に混合した。その後、得られた混合物を、東洋濾紙（株）製のセルロールアセテートタイプメンブレンフィルタ（孔径３．００μｍ）でろ過することで、表１に示すインクジェット記録用水性顔料インクＢを得た。
【００８９】
【表１】
2019178469.tif 000003
【００９０】
（ａ）耐水性評価
平面サイズが１５ｃｍ×５ｃｍの布帛（綿（シーチング））に、実施例及び比較例の画像記録用処理剤約１ｇを、スプレー方式により均一に付与した。前記処理剤付与後の布帛に、２１０℃を上限とした高温（１８０℃〜２１０℃）に設定したアイロンを２分間かけて乾燥させた。つぎに、ブラザー工業（株）のインクジェットプリンタ搭載デジタル複合機ＤＣＰ−Ｊ４２２５Ｎを使用して、表１に示す水性インクＡ又はＢを用いて、記録した。記録後の前記布帛を、水の中で前記布帛の一部が他の部分と擦れることがない程度に振りながら５分間水洗した。水洗後、乾燥して得られた前記布帛の記録面の記録部分の光学濃度（ＯＤ値）を、Ｘ−Ｒｉｔｅ社製の分光測色計ＳｐｅｃｔｒｏＥｙｅ（光源：Ｄ５０、視野角：２°、ＡＮＳＩ−Ｔ）により測定し、前記布帛の水洗前後での光学濃度（ＯＤ値）の差（ΔＯＤ＝水洗後のＯＤ値−水洗前のＯＤ値）を算出し、下記評価基準に従って評価した。実施例１５においては、前記布帛としてポリエステル（ツイル）を用い、前記アイロンの温度を１６０℃を上限とした中温（１４０℃〜１６０℃）とした以外は、同様にして、耐水性を評価した。
【００９１】
耐水性評価  評価基準
ＡＡ：前記ΔＯＤが、−０．０４を超えた
Ａ  ：前記ΔＯＤが、−０．０６以上−０．０４以下であった
Ｂ  ：前記ΔＯＤが、−０．１０以上−０．０６未満であった
Ｃ  ：前記ΔＯＤが、−０．１０未満であった
【００９２】
（ｂ）低温保存時の保存安定性評価
実施例及び比較例の画像記録用処理剤を、−５℃、−１０℃又は−２０℃で３日間保存後、顕微鏡（倍率２００倍）観察を行い、下記評価基準に従って評価した。
【００９３】
低温保存時の保存安定性評価  評価基準
ＡＡ：−２０℃で保存後にも異物が観察されなかった
Ａ  ：−１０℃で保存後には異物が観察されないが、−２０℃で保存後には異物が観察された
Ｂ  ：−５℃で保存後には異物が観察されないが、−１０℃で保存後には異物が観察された
Ｃ  ：−５℃で保存後に異物が観察された
【００９４】
（ｃ）触感評価
１０人の被験者が、（ａ）耐水性評価と同様にして作製した水洗前の前記布帛と、画像記録用処理剤の付与及び水性インクでの記録を行っていない元の綿（実施例１５においては、画像記録用処理剤の付与及び水性インクでの記録を行っていない元のポリエステル）と、を指で触り、前記布帛が、前記元の綿（実施例１５においては、前記元のポリエステル）と比べ、手触りが硬くなったと感じた人数を集計し、下記評価基準に従って評価した。
【００９５】
触感評価  評価基準
ＡＡ：前記布帛の手触りが硬くなったと感じた人数が、１０人中１人以下
Ａ  ：前記布帛の手触りが硬くなったと感じた人数が、２人〜４人
Ｂ  ：前記布帛の手触りが硬くなったと感じた人数が、５人以上
【００９６】
実施例１〜１５及び比較例１〜５の画像記録用処理剤の組成及び評価結果を、表２に示す。
【００９７】
【表２】
2019178469.tif 000004
【００９８】
表２に示すとおり、実施例１〜１５では、耐水性、低温保存時の保存安定性及び触感の全ての評価結果が良好であった。Ｂ≧２．５である実施例２〜１２では、Ｂ＜２．５である実施例１と比べて、綿での耐水性の評価結果がより優れていた。Ｂ≦２０である実施例１〜５及び７〜１２では、Ｂ＞２０である実施例６と比べて、綿での触感の評価結果がより優れていた。Ａ／Ｃ≧０．３３である実施例１〜６及び８〜１２では、Ａ／Ｃ＜０．３３である実施例７と比べて、綿での低温保存時の保存安定性の評価結果がより優れており、Ａ／Ｃ≧０．５８である実施例１〜６及び９〜１２では、Ａ／Ｃ＜０．５８である実施例８と比べて、綿での低温保存時の保存安定性の評価結果がさらに優れていた。Ｂ／Ａ≧０．０８である実施例３〜１０では、Ｂ／Ａ＜０．０８である実施例１、２、１１及び１２と比べて、綿での耐水性の評価結果がより優れていた。カチオン性ポリマーエマルションがウレタン構造を含む実施例４及び１３では、カチオン性ポリマーエマルションがウレタン構造を含まない実施例１４と比べて、綿での触感の評価結果がより優れていた。カチオン性ポリマーエマルションのウレタン構造がエステル系である実施例４では、カチオン性ポリマーエマルションのウレタン構造がエステル系でない実施例１３と比べて、綿での触感の評価結果がさらに優れていた。
【００９９】
一方、前記特定グリコール系溶剤に代えて、沸点が２００℃を超えるグリセリンを用いた比較例１及び２では、綿での低温保存時の保存安定性又は耐水性の評価結果が悪かった。また、Ａ＜２０とした比較例３では、綿での低温保存時の保存安定性の評価結果が悪く、Ａ＞６０とした比較例４では、綿での耐水性の評価結果が悪かった。さらに、カチオン性ポリマーエマルションに代えて、アニオン性ポリマーエマルションを用いた比較例５では、綿での耐水性の評価結果が悪かった。
【産業上の利用可能性】
【０１００】
以上のように、本発明の画像記録用処理剤は、布帛への記録における耐水性及び低温保存時の保存安定性に優れたものである。本発明の画像記録用処理剤の用途は、特に限定されず、各種布帛及び布帛以外の記録用紙等の記録媒体への画像形成に広く適用可能である。
【符号の説明】
【０１０１】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2019178469.tif 000005
【図２】
2019178469.tif 000006
【図３】
2019178469.tif 000007